【手続補正書】
【提出日】平成28年3月31日(2016.3.31)
【手続補正１】
【補正対象書類名】明細書
【補正対象項目名】発明の名称
【補正方法】変更
【補正の内容】
【発明の名称】回転ドラム及び回転ドラムの製造方法
【手続補正２】
【補正対象書類名】明細書
【補正対象項目名】０００１
【補正方法】変更
【補正の内容】
【０００１】
本発明は、クーラント液に含まれるスラッジから金属成分を回収する回転ドラム及び回転ドラムの製造方法に関する。
【手続補正３】
【補正対象書類名】明細書
【補正対象項目名】０００９
【補正方法】変更
【補正の内容】
【０００９】
本発明は斯かる事情に鑑みてなされたものであり、切削加工で発生した切削屑、切粉等が投入された場合であっても、切削屑、切粉等を回転ドラムの頂上部へ確実に搬送することができ、回収漏れを防止することができる回転ドラム及び回転ドラムの製造方法を提供することを目的とする。
【手続補正４】
【補正対象書類名】明細書
【補正対象項目名】００１０
【補正方法】変更
【補正の内容】
【００１０】
上記目的を達成するために第１発明に係る回転ドラムは、外周面側の極性が異なるよう、複数の磁石を交互に配置した内筒と、該内筒の周囲を回転する、非磁性材からなる外筒とを有し、前記内筒の磁着力によりスラッジを前記外筒に磁着させつつ、前記外筒を回転させて、スラッジを前記外筒の外周面による摩擦力で搬送する回転ドラム型磁気分離装置に用いる回転ドラムであって、前記外筒の外周面に、連続した突起部が一又は複数形成され、磁着力が摩擦力よりも大きい位置に停滞しているスラッジを搬送可能としていることを特徴とする。
【手続補正５】
【補正対象書類名】明細書
【補正対象項目名】００１１
【補正方法】変更
【補正の内容】
【００１１】
第１発明では、外周面側の極性が異なるよう、複数の磁石を交互に配置した内筒と、該内筒の周囲を回転する、非磁性材からなる外筒とを有し、内筒の磁着力によりスラッジを外筒に磁着させつつ、外筒を回転させて、スラッジを外筒の外周面による摩擦力で搬送する。外筒の外周面に、連続した突起部が一又は複数形成され、磁着力が摩擦力よりも大きい位置に停滞しているスラッジを搬送可能としている。これにより、外筒の外周面に生じている、磁石による磁着力が、外筒の外周面の摩擦力より大きい場合であっても、回転ドラムの頂上部への搬送途上で停滞している切削屑、切粉等を、突起部により回転ドラムの頂上部まで搬送することができる。したがって、切削加工の後工程であっても切削屑、切粉等を確実に回収することが可能となる。
次に、上記目的を達成するために第２発明に係る回転ドラムは、外周面側の極性が異なるよう、複数の磁石を交互に配置した内筒と、該内筒の周囲を回転する、非磁性材からなる外筒と、前記外筒の外周面に所定の押圧で当接されている絞りローラとを有し、前記内筒の磁着力によりスラッジを前記外筒に磁着させつつ、前記外筒を回転させて、スラッジを前記外筒の外周面による摩擦力で搬送するとともに、前記外筒と前記絞りローラとの間をスラッジが通過することによりスラッジの液分を搾り取る回転ドラム型磁気分離装置に用いる回転ドラムであって、前記外筒の外周面に、連続した突起部が一又は複数形成され、磁着力が摩擦力よりも大きい位置に停滞しているスラッジを搬送可能としていることを特徴とする。
第２発明では、外周面側の極性が異なるよう、複数の磁石を交互に配置した内筒と、該内筒の周囲を回転する、非磁性材からなる外筒と、外筒の外周面に所定の押圧で当接されている絞りローラとを有し、内筒の磁着力によりスラッジを前記外筒に磁着させつつ、外筒を回転させて、スラッジを外筒の外周面による摩擦力で搬送するとともに、外筒と絞りローラとの間をスラッジが通過することによりスラッジの液分を搾り取る。外筒の外周面に、連続した突起部が一又は複数形成され、磁着力が摩擦力よりも大きい位置に停滞しているスラッジを搬送可能としている。これにより、外筒の外周面に生じている、磁石による磁着力が、外筒の外周面の摩擦力より大きい場合であっても、回転ドラムの頂上部への搬送途上で停滞している切削屑、切粉等を、突起部により回転ドラムの頂上部まで搬送することができる。また、スラッジの液分を十分搾り取ることもできる。したがって、切削加工の後工程であっても切削屑、切粉等を確実に回収することが可能となる。
【手続補正６】
【補正対象書類名】明細書
【補正対象項目名】００１２
【補正方法】変更
【補正の内容】
【００１２】
また、第３発明に係る回転ドラムは、第１又は第２発明において、前記突起部は、前記外筒に直線状に形成されていることを特徴とする。
【手続補正７】
【補正対象書類名】明細書
【補正対象項目名】００１３
【補正方法】変更
【補正の内容】
【００１３】
第３発明では、突起部は、外筒に直線状に形成されているので、磁力に抗して摩擦力により搬送することが困難であった、サイズの大きな切削屑、切粉等をより確実に回転ドラムの頂上部へと搬送することが可能となる。
【手続補正８】
【補正対象書類名】明細書
【補正対象項目名】００１４
【補正方法】変更
【補正の内容】
【００１４】
また、第４発明に係る回転ドラムは、第１乃至第３発明のいずれか１つにおいて、前記突起部は、前記外筒の回転軸に対して所定の角度をなすように形成されていることを特徴とする。
【手続補正９】
【補正対象書類名】明細書
【補正対象項目名】００１５
【補正方法】変更
【補正の内容】
【００１５】
第４発明では、突起部は、外筒の回転軸に対して所定の角度をなすように形成されているので、回転ドラムに当接するスクレパーにて切削屑、切粉等を掻き取る場合の摩擦抵抗を軽減することができ、スクレパーの耐久性を高めることが可能となる。
【手続補正１０】
【補正対象書類名】明細書
【補正対象項目名】００１６
【補正方法】変更
【補正の内容】
【００１６】
また、第５発明に係る回転ドラムは、第１乃至第４発明のいずれか１つにおいて、前記突起部は、前記外筒の回転軸を中心として互いに対称となる位置に形成されていることを特徴とする。
【手続補正１１】
【補正対象書類名】明細書
【補正対象項目名】００１７
【補正方法】変更
【補正の内容】
【００１７】
第５発明では、突起部は、外筒の回転軸を中心として互いに対称となる位置に形成されているので、回転ドラムの頂上部まで搬送することのできなかった切削屑、切粉等を突起部により回転ドラムの頂上部まで搬送することが可能となる。
【手続補正１２】
【補正対象書類名】明細書
【補正対象項目名】００１８
【補正方法】変更
【補正の内容】
【００１８】
次に、上記目的を達成するために第６発明に係る回転ドラムの製造方法は、外周面側の極性が異なるよう、複数の磁石を交互に配置した内筒と、該内筒の周囲を回転する、非磁性材からなる外筒とを有し、前記内筒の磁着力によりスラッジを前記外筒に磁着させつつ、前記外筒を回転させて、スラッジを前記外筒の外周面による摩擦力で搬送する回転ドラム型磁気分離装置に用いる回転ドラムの製造方法であって、レーザ加工により前記外筒の外周面に、周囲に溝部を有する突起部を形成することを特徴とする。
【手続補正１３】
【補正対象書類名】明細書
【補正対象項目名】００１９
【補正方法】変更
【補正の内容】
【００１９】
第６発明では、外周面側の極性が異なるよう、複数の磁石を交互に配置した内筒と、該内筒の周囲を回転する、非磁性材からなる外筒とを有し、内筒の磁着力によりスラッジを外筒に磁着させつつ、外筒を回転させて、スラッジを外筒の外周面による摩擦力で搬送する。レーザ加工により外筒の外周面に、周囲に溝部を有する突起部を形成する。これにより、外筒の外周面に生じている、磁石による磁着力が、外筒の外周面の摩擦力より大きい場合であっても、回転ドラムの頂上部への搬送途上で停滞している切削屑、切粉等を、突起部により回転ドラムの頂上部まで搬送することができる。したがって、切削加工の後工程であっても切削屑、切粉等を確実に回収することが可能となる。
【手続補正１４】
【補正対象書類名】明細書
【補正対象項目名】００３１
【補正方法】変更
【補正の内容】
【００３１】
図３（ａ）に示すように、突起部３１は、回転ドラム３の外筒９の外周面に、外筒９の回転軸と平行に直線状に形成されている。実際にはレーザ加工等により、図３（ｂ）に示す形状の突起部を一端側から他端側まで連続して形成することで、直線状の突起部３１が形成される。この場合、レーザ加工により溝部３１ａ及び突起部３１が形成される。もちろん、突起部３１の高さｈは、外筒９の直径に比べて十分に小さく、絞りローラ６の表面を傷つけることがない程度であることが好ましい。直線状の突起部３１を形成することにより、磁着力の方が摩擦力より大きい部分に停滞して搬送することができなかったスラッジ状の切削屑、切粉等を、突起部３１により確実に回転ドラム３の頂上部へと搬送することができる。
【手続補正１５】
【補正対象書類名】明細書
【補正対象項目名】００３７
【補正方法】変更
【補正の内容】
【００３７】
また、突起部３１は回転軸に対して一定の傾斜角度を有する直線状に形成することに限定されるものではない。図６は、本発明の実施の形態に係る回転ドラム３の外筒９の突起部３１の他の構成を示す模式図であり、回転軸に対して異なる傾斜角度を有する直線を連続して形成したものである。図６（ａ）は、本実施の形態に係る回転ドラム３の外筒９の突起部３１をＶ字状に形成している。このようにＶ字状に形成することにより、外筒９の回転による搬送中にスラッジ状の切削屑、切粉等を取りこぼす可能性が低くなる。
【手続補正１６】
【補正対象書類名】特許請求の範囲
【補正対象項目名】全文
【補正方法】変更
【補正の内容】
【特許請求の範囲】
【請求項１】
外周面側の極性が異なるよう、複数の磁石を交互に配置した内筒と、該内筒の周囲を回転する、非磁性材からなる外筒とを有し、
前記内筒の磁着力によりスラッジを前記外筒に磁着させつつ、前記外筒を回転させて、スラッジを前記外筒の外周面による摩擦力で搬送する回転ドラム型磁気分離装置に用いる回転ドラムであって、
前記外筒の外周面に、連続した突起部が一又は複数形成され、
前記磁着力が前記摩擦力よりも大きい位置に停滞しているスラッジを搬送可能としていることを特徴とする回転ドラム。
【請求項２】
外周面側の極性が異なるよう、複数の磁石を交互に配置した内筒と、該内筒の周囲を回転する、非磁性材からなる外筒と、前記外筒の外周面に所定の押圧で当接されている絞りローラとを有し、
前記内筒の磁着力によりスラッジを前記外筒に磁着させつつ、前記外筒を回転させて、スラッジを前記外筒の外周面による摩擦力で搬送するとともに、前記外筒と前記絞りローラとの間をスラッジが通過することによりスラッジの液分を搾り取る回転ドラム型磁気分離装置に用いる回転ドラムであって、
前記外筒の外周面に、連続した突起部が一又は複数形成され、
前記磁着力が前記摩擦力よりも大きい位置に停滞しているスラッジを搬送可能としていることを特徴とする回転ドラム。
【請求項３】
前記突起部は、前記外筒に直線状に形成されていることを特徴とする請求項１又は２に記載の回転ドラム。
【請求項４】
前記突起部は、前記外筒の回転軸に対して所定の角度をなすように形成されていることを特徴とする請求項１乃至３のいずれか一項に記載の回転ドラム。
【請求項５】
前記突起部は、前記外筒の回転軸を中心として互いに対称となる位置に形成されていることを特徴とする請求項１乃至４のいずれか一項に記載の回転ドラム。
【請求項６】
外周面側の極性が異なるよう、複数の磁石を交互に配置した内筒と、該内筒の周囲を回転する、非磁性材からなる外筒とを有し、
前記内筒の磁着力によりスラッジを前記外筒に磁着させつつ、前記外筒を回転させて、スラッジを前記外筒の外周面による摩擦力で搬送する回転ドラム型磁気分離装置に用いる回転ドラムの製造方法であって、
レーザ加工により前記外筒の外周面に、周囲に溝部を有する突起部を形成することを特徴とする回転ドラムの製造方法。
【手続補正１７】
【補正対象書類名】図面
【補正対象項目名】図３
【補正方法】変更
【補正の内容】
【図３】
2014151314.tif 000001